(57)【要約】【課題】フロントホルダのガタつきを防止して接触信頼性及び接点部寿命を向上させることができ、しかも、防水用のパッキンを小型化することができる防水コネクタを提供すること。【解決手段】防水コネクタ３１において、第１コネクタハウジング３３と第２コネクタハウジング３４との嵌合が完了したとき、第１コネクタハウジング３３の端子収容筒部３９の先端に嵌合装着されているフロントホルダ３６の前端面７３ａのガタつき防止突起７５が第２コネクタハウジング３４の対向する端面５０ａに当接して、フロントホルダ３６の嵌合方向への移動を規制する構成。【選択図】図２
2012043649.tif 000002
【特許請求の範囲】
【請求項１】
第１接続端子を収容する端子収容筒部を備えた第１コネクタハウジングと、
前記端子収容筒部の外周に嵌合する嵌合用筒部の内側に前記第１接続端子に嵌合させる第２接続端子を支持した第２コネクタハウジングと、
前記端子収容筒部の外周に嵌合装備されて、前記第１コネクタハウジングと前記第２コネクタハウジングとの嵌合が完了した状態で前記端子収容筒部と前記嵌合用筒部とに密着状態に接触してこれら端子収容筒部と嵌合用筒部との間を封止する環状のパッキンと、
前記端子収容筒部の先端部に嵌合装着されて前記パッキンの抜け止めと前記第１接続端子の先端部の位置決めとを果たすフロントホルダと、
を備えた防水コネクタであって、
前記フロントホルダの前端面には、前記第１コネクタハウジングと前記第２コネクタハウジングとの嵌合が完了した状態においてコネクタハウジング相互の嵌合方向に対向している前記第２コネクタハウジングの内奥の端面に当接して、フロントホルダの移動を規制するガタつき防止突起を備えたことを特徴とする防水コネクタ。
【請求項２】
前記フロントホルダの前端面に装備される前記ガタつき防止突起は２つで、その２つの前記ガタつき防止突起は、コネクタ嵌合方向に直交してコネクタハウジングの幅方向に延びる水平線上で前記フロントホルダの前端面上の左右の両端縁部に配置されていることを特徴とする請求項１に記載の防水コネクタ。
【請求項３】
前記フロントホルダの前端面に装備される前記ガタつき防止突起は２つで、その２つの前記ガタつき防止突起は、コネクタ嵌合方向に直交してコネクタハウジングの高さ方向に延びる垂直線上で前記フロントホルダの前端面上の上下の両端縁部に配置されていることを特徴とする請求項１に記載の防水コネクタ。
【請求項４】
前記フロントホルダの移動が規制されることで前記第１接続端子の動きが規制されることを特徴とする請求項１〜３のいずれか一項に記載の防水コネクタ。
【発明の詳細な説明】
【技術分野】
【０００１】
本発明は、防水コネクタに関する。
【背景技術】
【０００２】
図８は、防水コネクタの従来例を示したものである。
図８に示した防水コネクタ１は、下記特許文献１に開示されたものである。
この防水コネクタ１は、下記特許文献１に開示されたもので、第１コネクタハウジング３と、第２コネクタハウジング４と、環状のパッキン５と、フロントホルダ６と、を備えている。
【０００３】
第１コネクタハウジング３は、第１接続端子である雌型端子８を収容する端子収容筒部９と、該端子収容筒部９の外周囲に収容空間１０を画成する外郭筒部１１と、係止部１２と、を備えている。
【０００４】
端子収容筒部９は、雌型端子８をハウジング後端から挿入可能なように、雌型端子８を収容する端子収容孔９ａが、後端から前方に貫通形成されている。端子収容筒部９は、端子収容孔９ａ内に突出する端子係止ランス９ｂを有している。端子係止ランス９ｂは、基準位置まで端子収容孔９ａ内に挿入された雌型端子８に係合して雌型端子８の抜けを防止する。
【０００５】
端子収容筒部９の外周囲の収容空間１０は、後述する第２コネクタハウジング４の嵌合用筒部を収容する空間である。
【０００６】
第２コネクタハウジング４は、収容空間１０に挿入されて端子収容筒部９の外周に環状のパッキン５を介して嵌合する嵌合用筒部１７と、該嵌合用筒部１７の外周に突設された係合突起１８と、雌型端子８に嵌合させる第２接続端子である雄型端子１９を嵌合用筒部１７の内側に支持した端子支持部２０と、を備えている。
【０００７】
係合突起１８は、第１コネクタハウジング３と第２コネクタハウジング４との嵌合が完了したときに、後端１８ａが第１コネクタハウジング３の係止部１２に係合して、第１コネクタハウジング３と第２コネクタハウジング４との嵌合状態をロックする。
【０００８】
環状のパッキン５は、端子収容筒部９の基端側外周に嵌合装備されて、第１コネクタハウジング３と第２コネクタハウジング４との嵌合が完了した状態のときに、端子収容筒部９と嵌合用筒部１７とに密着状態に接触して、これら端子収容筒部９と嵌合用筒部１７との間を封止（防水）する。
【０００９】
このパッキン５は、端子収容筒部９と嵌合用筒部１７との間に挟持される筒部５ａと、この筒部５ａの後端から半径方向外方に突出する鍔部５ｂとを備えている。第１コネクタハウジング３と第２コネクタハウジング４との嵌合が完了したときに、鍔部５ｂには、嵌合用筒部１７の先端１７ａが当接する。
【００１０】
フロントホルダ６は、端子収容筒部９の内部に差し込まれる差込部６ａと、端子収容筒部９の前面を覆う先端壁６ｂとを備えている。先端壁６ｂは、外径が端子収容筒部９の外径よりも大きく設定されていて、環状のパッキン５を抜け止めする。また、先端壁６ｂは、雄型端子１９を雌型端子８側に誘導する端子誘導孔６ｃを有している。先端壁６ｂには、雌型端子８の前端部を位置決めする位置決め壁６ｄが一体形成されている。
【００１１】
即ち、フロントホルダ６は、端子収容筒部９の先端部に嵌合装着されて、パッキン５の抜け止めを果たすと共に、端子収容孔９ａに挿入された雌型端子８の先端部の位置決めを果たす。
【００１２】
ところで、このような防水コネクタ１において、寸法公差や組立誤差等により第１コネクタハウジング３と第２コネクタハウジング４との嵌合部に隙間が生じると、外部の振動によりハウジング相互間にガタつきが生じる。このハウジング相互のガタつきは、雌型端子８と雄型端子１９との間の端子接点部の摺動摩擦を招き、端子接点部の摩耗を早める。その結果、接触信頼性及び接点部寿命の低下という問題を招く。
【００１３】
そこで、上記防水コネクタ１の場合は、環状のパッキン５の鍔部５ｂを嵌合用筒部１７の先端と第１コネクタハウジング３とで挟持させることで、ハウジング相互の嵌合方向のガタつきを防止している。また、嵌合用筒部１７の内周部には、環状のパッキン５の筒部５ａの前端側外周に押圧接触する押圧突起１７ｂを設けることで、端子収容筒部９の前端部の径方向へのガタつきを防止している。
【先行技術文献】
【特許文献】
【００１４】
【特許文献１】特開２００５−１７４８１３号公報
【発明の概要】
【発明が解決しようとする課題】
【００１５】
ところが、特許文献１に開示された防水コネクタ１では、フロントホルダ側におけるガタつき防止のために、フロントホルダ６付近に位置する環状のパッキン５の前端側外周を押圧支持する。そのため、環状のパッキン５の筒部５ａは、端子収容筒部９の略全長を包む長大な長さが必要とり、環状のパッキン５が大型化するという問題があった。
【００１６】
また、フロントホルダ６自体は、第２コネクタハウジング４に対して特に位置規制されていない。そのため、外部から防水コネクタ１に作用する振動の影響で、フロントホルダ６が第２コネクタハウジング４の端子支持部２０との間でガタつくおそれがあった。そして、フロントホルダ６のガタつきが端子接点部の摺動摩擦を招くため、耐振動性が低下、端子接点部の摩耗による寿命低下を招くおそれがあった。
【００１７】
そこで、本発明の目的は、上記課題を解消することに係り、一方のコネクタハウジングに装着されているフロントホルダのガタつきを防止し、更にフロントホルダが端子のガタつきを防止することで接触信頼性及び接点部寿命を向上させることができ、しかも、コネクタハウジング相互の嵌合部に装着される防水用の環状のパッキンを小型化することができる防水コネクタを提供することにある。
【課題を解決するための手段】
【００１８】
本発明の前述した目的は、下記の構成により達成される。
（１）第１接続端子を収容する端子収容筒部を備えた第１コネクタハウジングと、
前記端子収容筒部の外周に嵌合する嵌合用筒部の内側に前記第１接続端子に嵌合させる第２接続端子を支持した第２コネクタハウジングと、
前記端子収容筒部の外周に嵌合装備されて、前記第１コネクタハウジングと前記第２コネクタハウジングとの嵌合が完了した状態で前記端子収容筒部と前記嵌合用筒部とに密着状態に接触してこれら端子収容筒部と嵌合用筒部との間を封止する環状のパッキンと、
前記端子収容筒部の先端部に嵌合装着されて前記パッキンの抜け止めと前記第１接続端子の先端部の位置決めとを果たすフロントホルダと、
を備えた防水コネクタであって、
前記フロントホルダの前端面には、前記第１コネクタハウジングと前記第２コネクタハウジングとの嵌合が完了した状態においてコネクタハウジング相互の嵌合方向に対向している前記第２コネクタハウジングの内奥の端面に当接して、フロントホルダの移動を規制するガタつき防止突起を備えたことを特徴とする防水コネクタ。
【００１９】
（２）前記フロントホルダの前端面に装備される前記ガタつき防止突起は２つで、その２つの前記ガタつき防止突起は、コネクタ嵌合方向に直交してコネクタハウジングの幅方向に延びる水平線上で前記フロントホルダの前端面上の左右の両端縁部に配置されていることを特徴とする上記（１）に記載の防水コネクタ。
【００２０】
（３）前記フロントホルダの前端面に装備される前記ガタつき防止突起は２つで、その２つの前記ガタつき防止突起は、コネクタ嵌合方向に直交してコネクタハウジングの高さ方向に延びる垂直線上で前記フロントホルダの前端面上の上下の両端縁部に配置されていることを特徴とする上記（１）に記載の防水コネクタ。
【００２１】
（４）前記フロントホルダの移動が規制されることで前記第１接続端子の動きが規制されることを特徴とする上記（１）〜（３）のいずれか一つに記載の防水コネクタ。
【００２２】
上記（１）の構成によれば、第１コネクタハウジングと第２コネクタハウジングとの嵌合が完了した状態においては、第１コネクタハウジングの先端部に装着されているフロントホルダの前端面に備えられたガタつき防止突起が、対向する第２コネクタハウジングの内奥の端面に当接して、フロントホルダの嵌合方向への移動を規制する。そのため、外部から振動が防水コネクタに加わっても、フロントホルダのガタつきを防止することができる。従って、フロントホルダのガタつきに起因した端子移動による端子接点部の摺動を防止して、端子接点部の摩耗を抑止することができる。従って、接触信頼性及び接点部寿命を向上させることができる。
【００２３】
また、フロントホルダのガタつき防止が、フロントホルダの構造の工夫で解決されているため、第１コネクタハウジングの端子収容筒部に嵌合装備される防水用の環状のパッキンは、フロントホルダのガタつき防止のために端子収容筒部の先端付近まで延長する必要がなくなる。従って、前記パッキンは、第１コネクタハウジングの端子収容筒部の基端側外周に嵌合する短尺構造にすることができ、パッキンを小型化することができる。
【００２４】
上記（２）の構成によれば、ガタつき防止突起は２つで、その２つのガタつき防止突起は、コネクタ嵌合方向に直交してコネクタハウジングの幅方向に延びる水平線上でフロントホルダの前端面上の左右の両端縁部に配置されている。そのため、２つのガタつき防止突起が、確実に、第２コネクタハウジングの内奥の端面に当接することができ、少ない数量のガタつき防止突起で、効果的にフロントホルダのガタつきを防止することができる。
【００２５】
上記（３）の構成によれば、ガタつき防止突起は２つで、その２つのガタつき防止突起は、コネクタ嵌合方向に直交してコネクタハウジングの高さ方向に延びる垂直線上でフロントホルダの前端面上の上下の両端縁部に配置されている。そのため、２つのガタつき防止突起が、確実に、第２コネクタハウジングの内奥の端面に当接することができ、少ない数量のガタつき防止突起で、効果的にフロントホルダのガタつきを防止することができる。
【００２６】
上記（４）の構成によれば、前記フロントホルダの移動が規制されることで前記第１接続端子の動きが規制される。従って、フロントホルダの移動が規制されることで、フロントホルダのガタつきに起因した端子移動による端子接点部の摺動を防止して、端子接点部の摩耗を抑止することができる。従って、接触信頼性及び接点部寿命を向上させることができる。
【発明の効果】
【００２７】
本発明による防水コネクタによれば、第１コネクタハウジングと第２コネクタハウジングとの嵌合が完了した状態においては、フロントホルダの前端面に備えられたガタつき防止突起が、対向する第２コネクタハウジングの内奥の端面に当接して、フロントホルダのガタつきを防止する。そのため、フロントホルダのガタつきに起因した端子移動による端子接点部の摺動を防止して、端子接点部の摩耗を抑止することができる。従って、接触信頼性及び接点部寿命を向上させることができる。
【００２８】
また、フロントホルダのガタつき防止が、フロントホルダの構造の工夫で解決されているため、第１コネクタハウジングの端子収容筒部に嵌合装備される防水用の環状のパッキンは、フロントホルダのガタつき防止のために端子収容筒部の先端付近まで延長する必要がなくなる。従って、前記パッキンは、第１コネクタハウジングの端子収容筒部の基端側外周に嵌合する短尺構造にすることができ、パッキンを小型化することができる。
【図面の簡単な説明】
【００２９】
【図１】本発明に係る防水コネクタの第１実施形態の分解斜視図である。
【図２】図１に示した防水コネクタの組立状態の垂直断面図である。
【図３】図２のＡ部の拡大図である。
【図４】図１に示したフロントホルダの説明図で、（ａ）は斜め前方からの斜視図、（ｂ）は正面図、（ｃ）は側面図である。
【図５】本発明に係る防水コネクタの第２実施形態の組立状態の水平断面図である。
【図６】図５のＢ部の拡大図である。
【図７】図５に示したフロントホルダの説明図で、（ａ）は斜め前方からの斜視図、（ｂ）は正面図、（ｃ）は側面図である。
【図８】従来の防水コネクタの組立状態の要部の縦断面図である。
【発明を実施するための形態】
【００３０】
以下、本発明に係る防水コネクタの好適な実施形態について、図面を参照して詳細に説明する。
【００３１】
［第１実施形態］
図１〜図４は本発明に係る防水コネクタの第１実施形態を示したもので、図１は第１実施形態の防水コネクタの分解斜視図、図２は図１に示した防水コネクタの組立状態の垂直断面図、図３は図２のＡ部の拡大図、図４は図１に示したフロントホルダの説明図で、図４（ａ）は斜め前方からの斜視図、図４（ｂ）は正面図、図４（ｃ）は側面図である。
【００３２】
この第１実施形態の防水コネクタ３１は、第１コネクタハウジング３３と、第２コネクタハウジング３４と、環状のパッキン３５と、フロントホルダ３６と、を備えている。
【００３３】
第１コネクタハウジング３３は、図１に示すように、第１接続端子３８を収容する端子収容筒部３９と、該端子収容筒部３９との間に収容空間４０を画成する外郭筒部（フード部）４１と、係止アーム（ロックアーム）４２と、を備えている。
【００３４】
第１接続端子３８は、電線４４の端部に圧着接続する電線圧着部３８ａと、雄型接続端子が嵌合する角筒状の端子嵌合部３８ｂとを備えた雌型接続端子である。第１接続端子３８に接続された電線４４には、後述する端子収容筒部３９の端子収容孔３９ａとの間の隙間を埋めて外部から端子収容孔３９ａへの雨滴等の侵入を防止する防水栓４５が装着されている。
【００３５】
端子収容筒部３９は、図２に示すように、第１接続端子３８をハウジング後端から挿入可能なように、第１接続端子３８を収容する端子収容孔３９ａが、後端から前方に貫通形成されている。端子収容筒部３９は、端子収容孔３９ａ内に突出する端子係止ランス３９ｂが一体形成されている。端子係止ランス３９ｂは、基準位置まで端子収容孔３９ａ内に挿入された第１接続端子３８の凹部３８ｄに係合して第１接続端子３８の抜けを防止する。
【００３６】
端子収容筒部３９の外周囲の収容空間４０は、後述するパッキン３５及び第２コネクタハウジング３４の嵌合用筒部を収容する空間である。収容空間４０の最奥部には、端子収容筒部３９の基端外周に嵌合させたパッキン３５を突き当てる突き当て面４０ａとなっている。
【００３７】
係止アーム４２は、第１コネクタハウジング３３と第２コネクタハウジング３４との嵌合が完了したときに、後述する第２コネクタハウジング３４の係合突起４８の後端に係合して第２コネクタハウジング３４の抜けを防止する。
【００３８】
第２コネクタハウジング３４は、収容空間４０に挿入されて端子収容筒部３９の外周に環状のパッキン３５を介して嵌合する嵌合用筒部４７と、該嵌合用筒部４７の軸方向（図２では、矢印Ｅ方向）中間部の外周に突設された係合突起４８と、第１接続端子３８に嵌合させる第２接続端子４９を嵌合用筒部４７の内側に支持した端子支持部５０と、を備えている。
【００３９】
係合突起４８は、第１コネクタハウジング３３と第２コネクタハウジング３４との嵌合が完了したときに、図２に示すように、後端が第１コネクタハウジング３３の係止アーム４２に係合して、第１コネクタハウジング３３と第２コネクタハウジング３４との嵌合状態をロックする。
【００４０】
第２接続端子４９は、第１接続端子３８の端子嵌合部３８ｂ内に嵌合する雄型接続端子である。
【００４１】
図３に示すように、端子支持部５０の内面は、第１コネクタハウジング３３と第２コネクタハウジング３４との嵌合が完了したときに、端子収容筒部３９の前方に対峙する対向面５０ａである。
【００４２】
環状のパッキン３５は、端子収容筒部３９の基端側外周に嵌合装備されて、第１コネクタハウジング３３と第２コネクタハウジング３４との嵌合が完了した状態のときに、端子収容筒部３９と嵌合用筒部４７とに密着状態に接触して、これら端子収容筒部３９と嵌合用筒部４７との間を封止（防水）する。
【００４３】
図２に示すように、本実施形態のパッキン３５は、端子収容筒部３９に接触する内周面、及び嵌合用筒部４７に接触する外周面には、それぞれ、複数条（図では、３条）のリップ（突条）が形成されている。各リップは、周方向に連続したリング状に設けられている。各リップは、弾性変形状態で相手に接触して、密着性を高める。
【００４４】
以上の構成のパッキン３５は、図２に示すように、端子収容筒部３９の基端外周に適正に嵌合装備された状態では、収容空間４０の突き当て面４０ａに突き当たった状態で収容空間４０に収容される。
【００４５】
フロントホルダ３６は、図２に示すように、端子収容筒部３９の先端部３９ｃの外周に嵌合装着される筒状部７１と、端子収容孔３９ａの前方を覆う先端壁７３とを備えている。筒状部７１は、その後端（図２では、右端）をパッキン３５の先端（図２では、左端）に近接させていて、環状のパッキン３５を抜け止めする。
【００４６】
また、先端壁７３は、図３及び４に示すように、第２接続端子４９を第１接続端子３８側に誘導する端子誘導孔７３ｃを有している。更に、先端壁７３の内側では、端子収容筒部３９に収容された第１接続端子３８の端子嵌合部３８ｂの先端部を位置決めしている。
【００４７】
また、図２に示すように、筒状部７１の後端は、端子係止ランス３９ｂの退避領域に進入し、端子係止ランス３９ｂの退避領域への移動を規制する。即ち、筒状部７１の後端は、端子係止ランス３９ｂによる第１接続端子３８の係止状態をロックする２重係止手段として機能する。
【００４８】
即ち、フロントホルダ３６は、端子収容筒部３９の先端部３９ｃに嵌合装着されて、パッキン３５の抜け止めを果たすと共に、端子収容孔３９ａに挿入された第１接続端子３８の先端部の位置決めを行い、また、端子係止ランス３９ｂの移動を規制する２重係止手段として機能する。
【００４９】
本実施形態の場合、図４に示すように、フロントホルダ３６の前端面（先端壁７３の前面）７３ａには、ガタつき防止突起７５が備えられている。
【００５０】
本実施形態の場合、フロントホルダ３６の前端面７３ａに装備されるガタつき防止突起７５は２つで、その２つのガタつき防止突起７５は、図４（ｂ）に示すようにコネクタ嵌合方向に直交してコネクタハウジングの高さ方向に延びる垂直線Ｌｖ上でフロントホルダ３６の前端面７３ａ上の上下の両端縁部に配置されている。
【００５１】
２つのガタつき防止突起７５は、図３に示すように、第１コネクタハウジング３３と第２コネクタハウジング３４との嵌合が完了した状態においてコネクタハウジング３３，３４相互の嵌合方向（図３の矢印Ｆ方向）に対向している第２コネクタハウジング３４の内奥の端面である対向面５０ａに当接する。
【００５２】
ガタつき防止突起７５が対向面５０ａに当接すると、その反力でフロントホルダ３６が端子収容筒部３９の基端側に押圧され、フロントホルダ３６は端子収容筒部３９と端子支持部５０とで挟持された状態になり、フロントホルダ３６の移動が規制される。
【００５３】
以上に説明した第１実施形態の防水コネクタ３１では、第１コネクタハウジング３３と第２コネクタハウジング３４との嵌合が完了した状態においては、第１コネクタハウジング３３の先端部に装着されているフロントホルダ３６の前端面７３ａに備えられた２つのガタつき防止突起７５が、対向する第２コネクタハウジング３４の内奥の端面に当接して、フロントホルダ３６の嵌合方向への移動を規制する。そのため、外部から振動が防水コネクタ３１に加わっても、フロントホルダ３６のガタつきを防止することができる。従って、フロントホルダ３６のガタつきに起因した端子移動による端子接点部の摺動を防止して、端子接点部の摩耗を抑止することができる。従って、接触信頼性及び接点部寿命を向上させることができる。
【００５４】
また、フロントホルダ３６のガタつき防止が、フロントホルダ３６の構造の工夫（ガタつき防止突起７５の装備）で解決されているため、第１コネクタハウジング３３の端子収容筒部３９に嵌合装備される防水用の環状のパッキン３５は、フロントホルダ３６のガタつき防止のために端子収容筒部３９の先端付近まで延長する必要がなくなる。従って、パッキン３５は、第１コネクタハウジング３３の端子収容筒部３９の基端側外周に嵌合する短尺構造にすることができ、パッキン３５を小型化することができる。
【００５５】
また、第１実施形態の防水コネクタ３１では、ガタつき防止突起７５は２つで、その２つのガタつき防止突起７５は、図４に示したように、コネクタ嵌合方向に直交してコネクタハウジングの高さ方向に延びる垂直線Ｌｖ上でフロントホルダ３６の前端面７３ａ上の上下の両端縁部に配置されている。そのため、２つのガタつき防止突起７５が、確実に、第２コネクタハウジング３４の内奥の端面である対向面５０ａに当接することができ、少ない数量のガタつき防止突起７５で、効果的にフロントホルダ３６のガタつきを防止することができる。
【００５６】
［第２実施形態］
図５〜図７は本発明に係る防水コネクタの第２実施形態を示したもので、図５は本発明に係る防水コネクタの第２実施形態の組立状態の水平断面図、図６は図５のＢ部の拡大図、図７は第２実施形態の防水コネクタで使用するフロントホルダの説明図で、図７（ａ）は斜め前方からの斜視図、図７（ｂ）は正面図、図７（ｃ）は側面図である。
【００５７】
この第２実施形態の防水コネクタ３１Ａは、第１実施形態に示したフロントホルダ３６の代わりに、フロントホルダ３６Ａを使用したものである。
【００５８】
フロントホルダ３６Ａは、その前端面７３ａに２つのガタつき防止突起７５を備えるという構成は、第１実施形態のフロントホルダ３６と共通している。しかし、第２実施形態のフロントホルダ３６Ａの場合は、その２つのガタつき防止突起７５は、図７に示すように、コネクタ嵌合方向に直交してコネクタハウジングの幅方向に延びる水平線Ｌｈ上で、フロントホルダ３６の前端面７３ａ上の左右の両端縁部に配置されている。
【００５９】
フロントホルダ３６Ａは、２つのガタつき防止突起７５の配置を第１実施形態のフロントホルダ３６とは相異させているが、それ以外の構成は第１実施形態と共通で良い。
【００６０】
この第２実施形態の防水コネクタ３１Ａの場合も、第１実施形態の場合と同様に、フロントホルダ３６Ａの前端面７３ａに備えられた２つのガタつき防止突起７５が、対向する第２コネクタハウジング３４の内奥の端面に当接して、フロントホルダ３６Ａの嵌合方向への移動を規制する。そのため、外部から振動が防水コネクタ３１Ａに加わっても、フロントホルダ３６Ａのガタつきを防止することができる。従って、フロントホルダ３６Ａのガタつきに起因した端子接点部の摺動を防止して、端子接点部の摩耗を抑止することができる。従って、接触信頼性及び接点部寿命を向上させることができる。
【００６１】
また、フロントホルダ３６Ａのガタつき防止が、フロントホルダ３６Ａの構造の工夫（ガタつき防止突起７５の装備）で解決されているため、第１コネクタハウジング３３の端子収容筒部３９に嵌合装備される防水用の環状のパッキン３５は、フロントホルダ３６Ａのガタつき防止のために端子収容筒部３９の先端付近まで延長する必要がなくなる。従って、パッキン３５は、第１コネクタハウジング３３の端子収容筒部３９の基端側外周に嵌合する短尺構造にすることができ、パッキン３５を小型化することができる。
【００６２】
更に、この第２実施形態の防水コネクタ３１Ａの場合も、フロントホルダ３６Ａに装備するガタつき防止突起７５は２つで、その２つのガタつき防止突起７５は、コネクタ嵌合方向に直交してコネクタハウジングの幅方向に延びる水平線Ｌｈ上でフロントホルダ３６の前端面７３ａ上の左右の両端縁部に配置されている。そのため、２つのガタつき防止突起７５が、確実に、第２コネクタハウジング３４の内奥の端面に当接することができ、少ない数量のガタつき防止突起７５で、効果的にフロントホルダ３６のガタつきを防止することができる。
【００６３】
なお、本発明の防水コネクタは、前述した各実施形態に限定されるものでなく、適宜な変形、改良等が可能である。
【００６４】
例えば、フロントホルダの前端面に装備するガタつき防止突起の数量は、上記実施形態で示した２つに限るものではなく、単一、又は３つ以上の任意の複数個とすることもできる。また、ガタつき防止突起の装備位置も、上記実施形態で示した一本の垂直線Ｌｖ上、あるいは一本の水平線Ｌｈ上に限らない。
【００６５】
しかし、複数のガタつき防止突起を、一本の垂直線Ｌｖ上、あるいは一本の水平線Ｌｈ上に配置した構成の場合は、フロントホルダと第２コネクタハウジング３４との接触が一直線上に限られるため、例えば、フロントホルダの前端面上の広域にランダムに多数のガタつき防止突起を分散装備した場合と比較して、各ガタつき防止突起の位置精度が組立誤差等や成形歪み等の影響で低下することを抑止することができ、各ガタつき防止突起と第２コネクタハウジング３４との接触を安定させ易い。
【符号の説明】
【００６６】
３１  防水コネクタ
３３  第１コネクタハウジング
３４  第２コネクタハウジング
３５  パッキン
３６  フロントホルダ
３８  第１接続端子
３９  端子収容筒部
５０  端子支持部
５０ａ  対向面（内奥の端面）
７３  先端壁
７３ａ  前端面
７５  ガタつき防止突起
【図１】
2012043649.tif 000003
【図２】
2012043649.tif 000004
【図３】
2012043649.tif 000005
【図４】
2012043649.tif 000006
【図５】
2012043649.tif 000007
【図６】
2012043649.tif 000008
【図７】
2012043649.tif 000009
【図８】
2012043649.tif 000010